(57)【要約】      （修正有）【課題】曜日の特定を容易にすると共に視覚的に一見して曜日を認識可能とするフリーデイリーリフィルを提供する。【解決手段】１日１枚の日付を記入して使用するシステム手帳用のリフィルであって、月を記入する月記入欄１２、日を記入する日記入欄１３の下側に、一週間の曜日の文字が四角又は楕円、もしくは円で囲まれ、選択可能に配置された曜日欄１１を設けたものとしており、配列された月曜から日曜までの曜日の文字の中から該当する曜日を容易に選択でき、選択した曜日を視覚的に一見して認識可能とする。【選択図】図１
0003231401.tif 000002
【実用新案登録請求の範囲】
【請求項１】
システム手帳用のフリーデイリーのリフィルであって、
一週間の曜日の文字が選択可能に配置された曜日欄を有することを特徴とするフリーデイリーリフィル。
【請求項２】
曜日欄の曜日の文字が四角又は楕円、若しくは円で囲まれていることを特徴とする請求項１記載のフリーデイリーリフィル。
【請求項３】
月の記入欄と日の記入欄を備え、
前記月の記入欄と前記日の記入欄の下側に曜日欄が設けられていることを特徴とする請求項１又は２記載のフリーデイリーリフィル。
【請求項４】
曜日欄の下側にチェック項目を記入するチェックリスト欄を設けたことを特徴とする請求項１乃至３のいずれか記載のフリーデイリーリフィル。
【請求項５】
チェックリスト欄の下側にメモを記入するメモ記入欄を設けたことを特徴とする請求項１乃至４のいずれか記載のフリーデイリーリフィル。
【考案の詳細な説明】
【技術分野】
【０００１】
本考案は、システム手帳に用いられる日付が印刷されていないフリーのリフィルに係り、特に、１日１枚用のフリーデイリーにおいて曜日を容易に選択できるフリーデイリーリフィルに関する。
【背景技術】
【０００２】
［先行技術の説明］
従来のフリーデイリーのリフィルは、日付記入欄と曜日記入欄があり、更にメモ記入欄、縦時間軸（バーチカル）の記入欄があって、これら記入欄に任意に書き込むようになっていた。
【０００３】
［関連技術］
尚、関連する先行技術としては、実用新案登録第３０９３１９１号公報「多年用カレンダー帳」（特許文献１）、実用新案登録第３１９２２７０号公報「スケジュール帳」（特許文献２）、実用新案登録第３１６３３６７号公報「多年用ダイアリーノート」（特許文献３）、実開昭６１−２０６４８１号公報「万年カレンダー付表紙」（特許文献４）がある。
【０００４】
特許文献１には、印刷された日付に対して日〜土の全ての文字が印刷された多年用カレンダー帳が記載されている。
特許文献２には、ユーザが自由に日付や曜日を書き込むことができるスケジュール帳が記載されている。
特許文献３には、複数年分のカレンダーと書き込み欄を備えた多年用ダイアリーノートが記載されている。
特許文献４には、型抜きしたカレンダー部の裏にポケットを備え、ポケットに、曜日に応じて色分けした着色カードを入れて用いる万年カレンダー付表紙が記載されている。
【先行技術文献】
【特許文献】
【０００５】
【特許文献１】実用新案登録第３０９３１９１号公報
【特許文献２】実用新案登録第３１９２２７０号公報
【特許文献３】実用新案登録第３１６３３６７号公報
【特許文献４】実開昭６１−２０６４８１号公報
【考案の概要】
【考案が解決しようとする課題】
【０００６】
しかしながら、従来のフリーデイリーリフィルでは、日付記入欄、曜日記入欄に日付と曜日を書き込むようになっており、特に曜日の記入を容易にし、更に視覚的に曜日を認識できるものとはなっていないという問題点があった。
【０００７】
尚、特許文献１〜４は、カレンダー帳、スケジュール帳、ノートであって、システム手帳のリフィルではなく、使用する日付だけ必要に応じて書き込んで、曜日を任意に選択できることは記載されていない。
【０００８】
本考案は上記実状に鑑みて為されたもので、フリーデイリーのリフィルにおいて曜日の特定を容易にすると共に視覚的に一見して曜日を認識可能とするフリーデイリーリフィルを提供することを目的とする。
【課題を解決するための手段】
【０００９】
上記従来例の問題点を解決するための本考案は、システム手帳用のフリーデイリーのリフィルであって、一週間の曜日の文字が選択可能に配置された曜日欄を有することを特徴とする。
【００１０】
本考案は、上記フリーデイリーリフィルにおいて、曜日欄の曜日の文字が四角又は楕円、若しくは円で囲まれていることを特徴とする。
【００１１】
本考案は、上記フリーデイリーリフィルにおいて、月の記入欄と日の記入欄を備え、月の記入欄と日の記入欄の下側に曜日欄が設けられていることを特徴とする。
【００１２】
本考案は、上記フリーデイリーリフィルにおいて、曜日欄の下側にチェック項目を記入するチェックリスト欄を設けたことを特徴とする。
【００１３】
本考案は、上記フリーデイリーリフィルにおいて、チェックリスト欄の下側にメモを記入するメモ記入欄を設けたことを特徴とする。
【考案の効果】
【００１４】
本考案によれば、一週間の曜日の文字が選択可能に配置された曜日欄を有するフリーデイリーリフィルとしているので、配列された月曜から日曜までの曜日の文字の中から該当する曜日を容易に選択でき、選択した曜日を視覚的に一見して容易に認識できる効果がある。
【図面の簡単な説明】
【００１５】
【図１】本リフィルの表面を示す概略図である。
【図２】本リフィルの裏面を示す概略図である。
【考案を実施するための形態】
【００１６】
本考案の実施の形態について図面を参照しながら説明する。
［実施の形態の概要］
本考案の実施の形態に係るフリーデイリーリフィル（本リフィル）は、１日１枚の日付を記入して使用するシステム手帳用のリフィルであって、月を記入する月記入欄、日を記入する日記入欄の下側に、一週間の曜日の文字が選択可能に配置された曜日欄を設けたものとしているので、曜日の特定を容易にし、視覚的に一見して曜日を認識可能とすることができるものである。
【００１７】
［本リフィル：図１，２］
本リフィルについて、図１，２を参照しながら説明する。図１は、本リフィルの表面を示す概略図であり、図２は、本リフィルの裏面を示す概略図である。
本リフィルは、図１，２に示すように、システム手帳に用いられるリフィルであって、表面には本体１の左側長辺にリング穴１０を有し、裏面には本体１の右側長辺にリング穴１０を有している。
【００１８】
尚、本リフィルでは、５つのリング穴１０を有するものを示しているが、６つのリング穴を有するものであってもよい。
また、リフィルのサイズもＡ５サイズ、聖書サイズ、ポケットサイズに適用できるものである。
【００１９】
本リフィルは、左上に月を記入する月記入欄１２、日を記入する日記入欄１３が設けられ、その下側に一週間の曜日の文字が配置された曜日欄１１が設けられ、更にその下側にチェック項目を記入するチェックリスト欄１４、メモを記入するメモ記入欄１５が設けられている。
【００２０】
［月記入欄１２，日記入欄１３］
本リフィルの本体１の左上に月記入欄１２が四角形状で印刷され、その四角形状に一部重なるようにその四角形状より大きい四角形状で日記入欄１３が印刷されている。
月記入欄１２は、四角内が例えば、バイオレット色で着色され、日記入欄１３は、四角内が例えば、ピンク色で着色されている。
月記入欄１２と日記入欄１３が分かるように「ＴＯＤＡＹ」の文字が近くに印刷されている。
また、日記入欄１３の四角内には、日付を示す「ＤＡＴＥ」の文字が印刷されている。
尚、月記入欄１２と日記入欄１３の右側にはスペースが設けられ、日付に関するメモを記載できるようになっている。
【００２１】
［曜日欄１１］
曜日欄１１は、本考案の特徴部分であり、一週間の曜日の文字が配置されている。
具体的には、月曜から日曜までを「Ｍｏ」「Ｔｕ」「Ｗｅ」「Ｔｈ」「Ｆｒ」「Ｓａ」「Ｓｕ」の文字で表し、それらを四角で囲んだ枠を形成している。四角の枠の代わりに、楕円又は円の形状であってもよい。また、四角、楕円又は円の形状の代わりに他の形でもよい。
【００２２】
曜日の文字又はその枠を後述する方法で選択することで、曜日の特定を容易にし、更に、視覚的に曜日を間違えることなく認識できる。特に、水曜を手書きにした「水」と木曜を手書きにした「木」を混同することがない。
【００２３】
また、土曜と日曜は、月曜から金曜までの文字の色（例えば、バイオレット色）と異なる色（例えば、赤色）の文字とし、文字を囲む四角内の色も異なる色、例えば、ピンク色で着色されている。
尚、月曜から金曜までの文字を囲む四角い枠の色は、例えば、文字と同じバイオレット色としている。文字の色、枠内の色、枠の色は、他の色を用いてもよい。
【００２４】
［チェックリスト欄１４］
チェックリスト欄１４は、６つの項目（横方向に２つ×縦方向に３つ）が記載できるようになっており、記載項目欄には点線の下線が引かれており、その左端に小さい四角が印刷されている。
その小さい四角は、チェック項目についての作業を終了した場合には、チェックを付けることができるようになっている。
【００２５】
［メモ記入欄１５］
メモ記入欄１５は、チェックリスト欄１４の下側にメモを記入するための記入欄が設けられている。
メモ記入欄１５は、本リフィルの本体１の下側半分程度に設けられ、縦横に規則正しいドットが印刷されている。
【００２６】
［本リフィルの使用方法］
次に、本リフィルの使用方法について説明する。
本リフィルの月記入欄１２と日記入欄１３に日付を記入し、その下側の曜日欄１１の中から日付に対応する曜日を選択する。
曜日の選択方法は、該当する曜日をラインマーカーで塗りつぶすか、ペン等で曜日の囲みの四角をなぞるか、また、曜日部分にチェックを入れるかしてもよい。
【００２７】
更に、チェックリスト欄１４に本日の作業項目を記入し、メモ記入欄１５に本日におけるメモを記入する。
また、チェックリスト欄１４における作業項目が終了すると、チェックリスト欄１４の小さい四角にチェックを入れる。
メモ記入欄１５は、メモだけではなく、日記や家計簿としても利用することも可能である。
【００２８】
［実施の形態の効果］
本リフィルによれば、１日１枚の日付を記入して使用するシステム手帳用のリフィルであって、月を記入する月記入欄１２、日を記入する日記入欄１３の下側に、一週間の曜日の文字が選択可能に配置された曜日欄１１を設けたものとしているので、配列された月曜から日曜までの曜日の文字の中から該当する曜日を容易に選択でき、その結果、視覚的に一見して選択した曜日を認識可能とすることができる効果がある。
【産業上の利用可能性】
【００２９】
本考案は、フリーデイリーのリフィルにおいて曜日の特定を容易にすると共に視覚的に一見して曜日を認識可能とするフリーデイリーリフィルに適している。
【符号の説明】
【００３０】
１…本体、  １０…リング穴、  １１…曜日欄、  １２…月記入欄、  １３…日記入欄、  １４…チェックリスト欄、  １５…メモ記入欄
【図１】
0003231401.tif 000003
【図２】
0003231401.tif 000004
【手続補正書】
【提出日】令和3年1月29日(2021.1.29)
【手続補正１】
【補正対象書類名】実用新案登録請求の範囲
【補正対象項目名】全文
【補正方法】変更
【補正の内容】
【実用新案登録請求の範囲】
【請求項１】
システム手帳用で１ページが１日分として使用されるフリーデイリーのリフィルであって、
当該１ページに一週間の全ての曜日の文字が印刷された曜日欄を有することを特徴とするフリーデイリーリフィル。
【請求項２】
曜日欄の曜日の文字が四角又は楕円、若しくは円で囲まれていることを特徴とする請求項１記載のフリーデイリーリフィル。
【請求項３】
月の記入欄と日の記入欄を備え、
前記月の記入欄と前記日の記入欄の下側に曜日欄が設けられていることを特徴とする請求項１又は２記載のフリーデイリーリフィル。
【請求項４】
曜日欄の下側にチェック項目を記入するチェックリスト欄を設けたことを特徴とする請求項１乃至３のいずれか記載のフリーデイリーリフィル。
【請求項５】
チェックリスト欄の下側にメモを記入するメモ記入欄を設けたことを特徴とする請求項１乃至４のいずれか記載のフリーデイリーリフィル。
【手続補正２】
【補正対象書類名】明細書
【補正対象項目名】０００９
【補正方法】変更
【補正の内容】
【０００９】
上記従来例の問題点を解決するための本考案は、システム手帳用で１ページが１日分として使用されるフリーデイリーのリフィルであって、当該１ページに一週間の全ての曜日の文字が印刷された曜日欄を有することを特徴とする。
【手続補正３】
【補正対象書類名】明細書
【補正対象項目名】００１４
【補正方法】変更
【補正の内容】
【００１４】
本考案によれば、１ページに一週間の全ての曜日の文字が印刷された曜日欄を有するフリーデイリーリフィルとしているので、配列された月曜から日曜までの曜日の文字の中から該当する曜日を容易に選択でき、選択した曜日を視覚的に一見して容易に認識できる効果がある。